(57)【要約】【課題】光源を無駄なく利用すると同時に安定した光線を提供するべく、光学エンジン及び該光学エンジンを具有するイメージプロジェクタを提供する。【解決手段】光学エンジン１０に光源１１１、錐形部１１２、集光部、プリズムモジュール１４、ＤＭＤ１５、投影レンズ部１６を設けるが、該錐形部１１２により該光源１１１の発射する光線が散乱するのを抑えると同時に光線を安定させ、また該プリズムモジュール１４では該集光部からの光線を屈折させて該ＤＭＤ１５で反射し、再び該プリズムモジュール１４に戻してレンズ部１６に至らしめ、イメージを外部の投影面９１に提供する。【選択図】  図１
2006106683.tif 000002
【特許請求の範囲】
【請求項１】
ある一定の光軸方向に向かって光線を発射する光源と、
一端が該光源に隣接しており、該光軸方向に沿って延伸する複数の錐形部側面を具有し、光軸と垂直を呈する個所の断面が多辺形の輪郭を呈し、各錐形側面にはおよそ該光軸方向に沿って延伸する二つの相対する長辺、並びに、およそ該光軸方向と垂直を呈する二つの相対する短辺を具有し、該錐形部側面における該光源に接近している側の短辺の長さはもう一方である該光源より遠い側の短辺よりも短く、よって断面は該光源を遠ざかる方向に沿って徐々に大きくなる錐形部と、
該錐形部の各錐形部側面で実施されるものであって、該光源が発射する光線が各錐形側面の反射を受けて光軸の方向に沿って進むよう導引する光反射手段と、
を具有する光学エンジンを含むことを特徴とする光学エンジン及び該光学エンジンを具有するイメージプロジェクタ。
【請求項２】
前記光源と錐形部と光反射手段とにより光学モジュールから構成され、該光学モジュールには更に発光ダイオード、回路板、固定ホルダ、クリップから構成されるものであって、これらの構成は、
光線を発する該発光ダイオードと、
該発光ダイオードを設置する個所を提供する前記回路板と、
該回路板に連結され、錐形部における発光ダイオードが位置する一端を設置する中空槽を具有する前記固定ホルダと、
前記錐形部を該固定ホルダ上にて定位させるものであり、数個の爪と一つ以上の定位部を該爪上に具有し、各該爪間には該錐形部に嵌合されるべく該錐形部の最大断面積より大きいサイズの孔が設けられ、少なくとも一つの該爪により該固定ホルダを挟設する該クリップとを含み、
且つ、該固定ホルダには二つの脚部と該脚部間に設けられるスライドレールを具有し、該スライドレールのサイズは前記回路板のサイズに対応したものであり、該回路板が該スライドレールに入り、該固定ホルダと連結されることを特徴とする請求項１記載の光学エンジン及び該光学エンジンを具有するイメージプロジェクタ。
【請求項３】
前記光学エンジンには更に放熱部品を含み、該放熱部品には放熱接触面及び該放熱面より延伸する複数の放熱フィンを具有し、該放熱接触面上には更にある一定の形状を呈した突起面を具有し、前記固定ホルダ及び前記回路板が該放熱接触面上にて連結され、且つ、該突起面の位置はちょうど固定ホルダの両脚部の間に形成される隙間に位置し、回路板の発光ダイオードを設置する位置が該突起面に直接接触することを特徴とする請求項２記載の光学エンジン及び該光学エンジンを具有するイメージプロジェクタ。
【請求項４】
前記光学モジュールには更に中空を呈した定位カバーを具有し、該錐形部には最大面積を具有する側に突起縁を具有し、該錐形部が該定位カバー中に穿設され、該突起縁が該定位カバーの一端にて定位され、該カバーのもう一端は該回路板と固定ホルダ上にて定位され、且つ該錐形部の突起縁は独立した、且つ透明な材質によるチップ状のパーツであり、大きさにおいては該錐形部の最大断面積よりやや大きいものであることを特徴とする請求項２記載の光学エンジン及び該光学エンジンを具有するイメージプロジェクタ。
【請求項５】
前記光学エンジンには凹面鏡、集光レンズ、プリズムモジュール、ＤＭＤ、投影レンズ部を具有し、
前記錐形部の最大断面積を具有する側に設置され、該錐形部の導引する光線を一定方向に向けて屈折並びに集光する前記凹面鏡と、
該凹面鏡からの光線を受け、更に集光を行う前記集光レンズと、
該集光レンズからの光線を受け、屈折させる前記プリズムモジュールと、
該プリズムモジュールからの光線を受け、該プリズムモジュールに反射し返すものであり、且つ、ＤＭＤチップ、該ＤＭＤチップを挿入するＤＭＤ挿入部、ＤＭＤ回路板に連結されるＤＭＤ電源接続部を具有するＤＭＤと、
該ＤＭＤより反射され、前記プリズムモジュールから来る光線を受け、フォーカスして外設の投影面にイメージを提供する前記投影レンズ部とを具有し、
該プリズムモジュールは逆全内部反射プリズムモジュール（ＲＴＩＲ）であり、前記集光レンズに隣接する第一プリズム、前記ＤＭＤに隣接する第二プリズムを含み、前記第一プリズムは楔形（ウエッジ）プリズムであり、光線が進む方向に沿った断面が錐形を呈しており、前記第二プリズムは光線の進む方向に沿った断面が直角三角形を呈しており、且つ該第一プリズムは該第二プリズムの断面である直角三角形の長辺の属する位置表面に貼設しており、前記ＤＭＤと投影レンズ部はそれぞれ該第二プリズムの断面である直角三角形の両垂直辺の所属する二表面に隣接することを特徴とする請求項２記載の光学エンジン及び該光学エンジンを具有するイメージプロジェクタ。
【請求項６】
前記光学エンジンには、更に基板と上蓋とを含み、
前記ＤＭＤを設置する個所を提供する第一空間を具有する右蓋、及び下蓋を具有し、更に該下蓋にはＶ型下溝と、該右蓋に隣接するプリズム下遮板と、該プリズム下遮断板と該Ｖ型下溝の間に形成される下溝とを具有する該基板と、
前記基板の下蓋上に連結され、更にＶ型上溝、プリズム上遮板、上溝を具有し、これらの位置と形状は、順にＶ型下溝、プリズム下遮板、下溝に対応しており、該下蓋に合わせると下蓋の間には収容空間が形成される該上蓋とを含み、
前記プリズムモジュールは、該プリズム上遮板とプリズム下遮板との間に収容され、該集光レンズは該上溝と下溝の間に収容され、前記凹面鏡は該Ｖ型上溝とＶ型下溝の折れ曲がった個所に設置され、且つ、該Ｖ型上溝と該Ｖ型下溝の一端には前記錐形部と固定ホルダが収容され、
また、前記投影レンズ部は前記プリズム上遮板とプリズム下遮板の片側に位置し、且つ、ラバーキャップとリングを含み、該ラバーキャップは該レンズ部外部に設けられ、且つ、ラバーキャップの外囲輪郭はちょうど該プリズム上遮板とプリズム下遮板の間の空間を埋めて光線による干渉を受けるのを防止し、前記リングは該レンズ部を該右蓋の延伸架上にて固定することを特徴とする請求項５記載の光学エンジン及び該光学エンジンを具有するイメージプロジェクタ。
【請求項７】
光学モジュール、集光レンズ、逆全内部反射（ＲＴＩＲ）プリズムモジュールとより構成される光学エンジンにおいて、
一定の方向に向かって進む光線を提供する前記光学モジュールと、
該光線に対し集光作用を有する前記集光レンズと、
該集光レンズの光線を受けて屈折させる前記逆全内部反射プリズムモジュールとを具有し、
該プリズムモジュールには更に該集光レンズに隣接する第一プリズムと、該集光レンズより遠い側に位置する第二プリズムとを具有し、該第一プリズムは楔形（ウエッジ）プリズムであり光線の進む方向に沿った断面が錐形を呈し、該第二プリズムは光線の進む方向に沿った断面が直角三角形を呈し、且つ該第一プリズムが該第二プリズムの断面である直角三角形の一長辺の所属する表面上に貼設され、
該第一プリズムと第二プリズムの相対位置を回転させることにより、光線の屈折する角度と方向とを微調整することを特徴とする光学エンジン及び該光学エンジンを具有するイメージプロジェクタ。
【請求項８】
前記光源モジュールには更に光源と錐形部と光反射手段とから構成され、
ある一定の光軸方向に向かって光線を発射する該光源と、
一端が該光源に隣接し、該光軸方向に向かって延伸する複数の錐形部側面を具有し、該光軸と垂直を為す断面が多辺形の輪郭を呈し、前記側面には、それぞれ、およそ光軸方向に向かって延伸する二つの相対した長辺、並びにおよそ該光軸と垂直を呈する二つの短辺を具有し、且つ、該側面における該光源に近い側の短辺の長さは該光源より遠い側の短辺より短く、断面が該光源を遠のく方向に向かって徐々に大きくなる錐形部と、
前記錐形部の各側面に実施されるものであって、前記光源の発射する光源が各錐形部側面の反射を受けて該光軸方向に沿って前進するよう導引する該光反射手段とを含むことを特徴とする請求項７記載の光学エンジン及び該光学エンジンを具有するイメージプロジェクタ。
【請求項９】
光源と錐形部と集光部とプリズムモジュールとＤＭＤと投影レンズ部より構成される光学エンジンであって、
ある一定の光軸方向に向かって光線を発射する該光源と、
一端が該光源に隣接して該光軸方向に沿って延伸するものであり、且つ該光軸方向と垂直を呈する個所の断面は該光源を遠ざかる方向に沿って徐々に大きくなり、且つ光源の発射する光線を導引して該光軸方向に前進するようにする該錐形部と、
該錐形部の光線を受けて集光を行う一つ以上設けられる集光部と、
該集光部の光線を受けて屈折させる前記プリズムモジュールと、
該プリズムモジュールの光線を受けて該プリズムモジュールに向かって反射させる前記ＤＭＤと、
該ＤＭＤにより反射され、該プリズムモジュールより来る光線を受け、フォーカスして外設の投影面にイメージを提供する前記投影レンズ部とを具有することを特徴とする光学エンジン及び該光学エンジンを具有するイメージプロジェクタ。
【請求項１０】
前記集光部には凹面鏡と集光レンズから構成され、
前記錐形部の最大断面積を具有する側の位置に設けられ、該錐形部により導引される光線に対し、ある一定の方向に屈折及び集光を行う前記凹面鏡と、
該凹面鏡からの光線を受けて集光を行う該集光レンズとを含み、
前記プリズムモジュールは逆全内部反射（ＲＴＩＲ）プリズムモジュールであり、前記集光レンズに隣接する第一プリズム及び前記ＤＭＤに隣接する第二プリズムを含み、該第一プリズムは楔形（ウエッジ）プリズムであり、該光線の進む方向に沿った断面は錐形を呈し、また、前記第二プリズムは該光線の進む方向に沿った断面が直角三角形を呈しており、且つ、該第一プリズムは該第二プリズムの断面である直角三角形の一長辺の属する表面上に貼設され、前記ＤＭＤ及び投影レンズ部がそれぞれ前記第二プリズムの断面である直角三角形の両垂直辺の所属する二表面に隣接することを特徴とする請求項９記載の光学エンジン及び該光学エンジンを具有するイメージプロジェクタ。
【請求項１１】
光学エンジン、回路板モジュール、ヒートシンクモジュール、ヒューマンインターフェイスモジュール、外殻とより構成されるイメージプロジェクタにおいて、
光学イメージを発生させる該光学エンジンと、
該光学エンジンに連結され、該光学エンジンの作動を制御するための該回路板モジュールと、
該光学エンジンと回路板モジュールに対し放熱を行う該ヒートシンクモジュールと、
該回路板モジュールに連結され、前記イメージプロジェクタを操作するための前記ヒューマンインターフェイスモジュールと、
前記光学エンジンと回路板モジュール、並びにヒートシンクモジュールとヒューマンインターフェイスモジュールを収容並びに定位する該外殻とを具有し、
前記光学エンジンには更にある一定の光軸方向に光線を発射するための光源、並びに該光源に隣接する錐形部、及び光反射手段を具有するが、該錐形部には該光軸方向に延伸する複数の錐形部側面を具有し、該錐形部の該光軸との垂直断面が多辺形の輪郭を呈し、該錐形部側面はそれぞれおよそ該光軸方向に沿って延伸する二つの相対する長辺、並びに、およそ前記光軸と垂直を呈する二つの相対する短辺を具有し、且つ、錐形部側面における光源に近い側の短辺の長さは光源より遠い側の短辺の長さより短く、錐形部の断面は該光源より遠のく方向に沿って、徐々に大きくなり、また、光反射手段は該錐形部の各側面で実施されるものであって、該光源の発射する光線が各錐形部側面の反射を受け、光軸が前進する方向に沿って前進するよう導引されることを特徴とする光学エンジン及び該光学エンジンを具有するイメージプロジェクタ。
【請求項１２】
光学エンジン、回路板モジュール、ヒートシンクモジュール、ヒューマンインターフェイスモジュール、外殻とより構成されるイメージプロジェクタにおいて、
光学イメージを発生させるための前記光学エンジンと、
該光学エンジンに連結されて該光学エンジンの作動を制御する前記回路板モジュールと、
該光学エンジンと回路板モジュールに対し、放熱を行う前記ヒートシンクモジュールと、
該回路板モジュールに連結され、前記イメージプロジェクタを操作するための前記ヒューマンインターフェイスモジュールと、
前記光学エンジン、回路板モジュール、ヒートシンクモジュール、ヒューマンインターフェイスモジュール、を収容して定位する該外殻とを具有し、
前記光学エンジンには更にある一定方向に進む光線を発生させる光学モジュールと、該光線を集光する機能を提供する集光レンズと、該集光レンズからの光線を受けて屈折させる逆全内部反射（ＲＴＩＲ）プリズムモジュールとを含み、
且つ、該プリズムモジュールには更に該集光レンズに隣接する第一プリズムと、該集光レンズより離れた第二プリズムとを具有し、該第一プリズムは楔形（ウエッジ）プリズムであり、光線の進む方向に沿った断面は錐形を呈し、該第二プリズムは該光線の進む方向に沿った断面が直角三角形を呈し、且つ該第一プリズムは該第二プリズムの断面である直角三角形の一長辺の属する表面上に貼設され、
該第一プリズムと第二プリズムの相対位置を回転することによって、光線の角度と方向とを微調整することを特徴とする光学エンジン及び該光学エンジンを具有するイメージプロジェクタ。
【請求項１３】
光学エンジンと、回路板モジュールと、ヒートシンクモジュールと、ヒューマンインターフェイスモジュールと、外殻とより構成されるイメージプロジェクタにおいて、
光学イメージを発生させるための前記光学エンジンと、
該光学エンジンに連結されて該光学エンジンの作動を制御する回路板モジュールと、
該光学エンジンと該回路板モジュールに対し放熱を行う前記ヒートシンクモジュールと、
該回路板モジュールに連結され、前記イメージプロジェクタを操作するための該ヒューマンインターフェイスモジュールと、
前記光学エンジン、回路板モジュール、ヒートシンクモジュール、ヒューマンインターフェイスモジュールを収容して定位する該外殻とを具有し、
前記光学エンジンには更に、
ある一定の光軸方向に光線を発射するための光源と、
一端が前記光源に隣接して前記光軸方向に延伸し、且つ、該光軸方向との垂直断面は該光源を遠ざかる方向に向かって徐々に大きくなり、且つ光源の発射する光線を導引して該光軸方向に向かって前進させる錐形部と、
該錐形部より来る光線に対し、集光を行う集光部と、
該集光部より来る光線に対し、屈折をかけるプリズムモジュール、
該プリズムモジュールの光線を受けて、該プリズムモジュールに反射し返すＤＭＤと、
該ＤＭＤの反射を受けた後、該プリズムモジュールから来る光線を受け、フォーカスして外接の投影面にイメージを提供する投影レンズ部とを具有することを特徴とする光学エンジン及び該光学エンジンを具有するイメージプロジェクタ。
【発明の詳細な説明】
【技術分野】
【０００１】
本発明は、光学エンジン及び該光学エンジンを具有するイメージプロジェクタに係り、特に光学イメージプロジェクタに設置され、光源及び複数のレンズ、並びにプリズム等のパーツを具有し、イメージを発生させる光学エンジン、及び該光学エンジンを具有するイメージプロジェクタに関わる。
【背景技術】
【０００２】
従来公知における光学タイプのイメージプロジェクタ(例えば、特許文献１)において、投射されるイメージの品質は、光学イメージプロジェクタ内部の光学エンジンとの関係が深く、イメージの質を優れたものにするためには、光学エンジンは光源の明るさ、また、光源からの光量むらない分布、効率のよさ等がキーポイントとなっている。つまり光源が光学エンジン内の各レンズやプリズム間で進む際、光線が不安定で不用意に曲折したりすることで、イメージにひずみが出る、或いは光線が弱まることでイメージにボケが生じる、等の不具合が生じてくる。
【特許文献１】特許開２００５−４３８８４号公報
【発明の開示】
【発明が解決しようとする課題】
【０００３】
公知の技術では、光源の発する光線を更に安定したものにすべく、大量の光学レンズや偏光レンズ、分光レンズが光源として使用されていたが、こうすることでは光線の照度が犠牲になり、また仕事率において言えば効率の悪い方法であることが言える。
そこで上述の欠点に鑑み、光源を無駄なく利用し全体の体積の小型化を目指すと同時に、安定した光線を提供するべく、本発明の光学エンジン及び該光学エンジンを具有するイメージプロジェクタを提供する。
【課題を解決するための手段】
【０００４】
本発明は、光学エンジンに光源、錐形部、少なくとも一つの集光部、プリズムモジュール、ＤＭＤ、投影レンズ部を設けるが、該錐状部の一端は該光源に隣接させ、且つ該光源の発射する光線は該錐形部の導引によりある光軸方向に沿って前進するようにし、且該錐形部は該光軸方向と垂直を為す断面が該光源を遠ざかる方向に沿って徐々に大きくなる設計により、光線が散乱する角度を縮小し、光を安定させ照度を高める効果を提供し、また該プリズムモジュールには断面が直角三角形を呈する第一プリズムと、楔形（ウエッジ）を呈する第二プリズムとを重ねてなるものであるが、該集光部の光線を該ＤＭＤの方向に屈折させて反射させ、更に該プリズム部で該光線をイメージプロジェクタに向けて屈折させ、フォーカス後に外設の投影面にイメージを形成する。
【０００５】
すなわち、請求項１の発明は、ある一定の光軸方向に向かって光線を発射する光源と、一端が該光源に隣接しており、該光軸方向に沿って延伸する複数の錐形部側面を具有し、光軸と垂直を呈する個所の断面が多辺形の輪郭を呈し、各錐形側面にはおよそ該光軸方向に沿って延伸する二つの相対する長辺、並びにおよそ該光軸方向と垂直を呈する二つの相対する短辺を具有し、該錐形部側面における該光源に接近している側の短辺の長さはもう一方である該光源より遠い側の短辺よりも短く、よって断面は該光源を遠ざかる方向に沿って徐々に大きくなる錐形部と、該錐形部の各錐形部側面で実施されるものであって、該光源が発射する光線が各錐形不足面の反射を受けて光軸の方向に沿って進むよう導引する光反射手段と、を具有する光学エンジンを含むことを特徴とする光学エンジン及び該光学エンジンを具有するイメージプロジェクタである。
請求項２の発明は、前記光源と錐形部と光反射手段とにより光学モジュールから構成され、該光学モジュールには更に発光ダイオード、回路板、固定ホルダ、クリップから構成されるものであって、これらの構成は、光線を発する該発光ダイオードと、
該発光ダイオードを設置する個所を提供する前記回路板と、該回路板に連結され、錐形部における発光ダイオードが位置する一端を設置する中空槽を具有する前記固定ホルダと、前記錐形部を該固定ホルダ上にて定位させるものであり、数個の爪と一つ以上の定位部を該爪上に具有し、各該爪間には該錐形部に嵌合されるべく該錐形部の最大断面積より大きいサイズの孔が設けられ、少なくとも一つの該爪により該固定ホルダを挟設する該クリップとを含み、且つ、該固定ホルダには二つの脚部と該脚部間に設けられるスライドレールを具有し、該スライドレールのサイズは前記回路板のサイズに対応したものであり、該回路板が該スライドレールに入り、該固定ホルダと連結されることを特徴とする請求項１記載の光学エンジン及び該光学エンジンを具有するイメージプロジェクタである。
請求項３の発明は、前記光学エンジンには更に放熱部品を含み、該放熱部品には放熱接触面及び該放熱面より延伸する複数の放熱フィンを具有し、該放熱接触面上には更にある一定の形状を呈した突起面を具有し、前記固定ホルダ及び前記回路板が該放熱接触面上にて連結され、且つ、該突起面の位置はちょうど固定ホルダの両脚部の間に形成される隙間に位置し、回路板の発光ダイオードを設置する位置が該突起面に直接接触することを特徴とする請求項２記載の光学エンジン及び該光学エンジンを具有するイメージプロジェクタである。
請求項４の発明は、前記光学モジュールには更に中空を呈した定位カバーを具有し、該錐形部には最大面積を具有する側に突起縁を具有し、該錐形部が該定位カバー中に穿設され、該突起縁が該定位カバーの一端にて定位され、該カバーのもう一端は該回路板と固定ホルダ上にて定位され、且つ該錐形部の突起縁は独立した、且つ透明な材質によるチップ状のパーツであり、大きさにおいては該錐形部の最大断面積よりやや大きいものであることを特徴とする請求項２記載の光学エンジン及び該光学エンジンを具有するイメージプロジェクタである。
【０００６】
請求項５の発明は、前記光学エンジンには凹面鏡、集光レンズ、プリズムモジュール、ＤＭＤ、投影レンズ部を具有し、前記錐形部の最大断面積を具有する側に設置され、該錐形部の導引する光線を一定方向に向けて屈折並びに集光する前記凹面鏡と、該凹面鏡からの光線を受け、更に集光を行う前記集光レンズと、該集光レンズからの光線を受け、屈折させる前記プリズムモジュールと、該プリズムモジュールからの光線を受け、該プリズムモジュールに反射し返すものであり、且つ、ＤＭＤチップ、該ＤＭＤチップを挿入するＤＭＤ挿入部、ＤＭＤ回路板に連結されるＤＭＤ電源接続部を具有するＤＭＤと、
該ＤＭＤより反射され、前記プリズムモジュールから来る光線を受け、フォーカスして外設の投影面にイメージを提供する前記投影レンズ部とを具有し、該プリズムモジュールは逆全内部反射プリズムモジュール（ＲＴＩＲ）であり、前記集光レンズに隣接する第一プリズム、前記ＤＭＤに隣接する第二プリズムを含み、前記第一プリズムは楔形（ウエッジ）プリズムであり、光線が進む方向に沿った断面が錐形を呈しており、前記第二プリズムは光線の進む方向に沿った断面が直角三角形を呈しており、且つ該第一プリズムは該第二プリズムの断面である直角三角形の長辺の属する位置表面に貼設しており、前記ＤＭＤと投影レンズ部はそれぞれ該第二プリズムの断面である直角三角形の両垂直辺の所属する二表面に隣接することを特徴とする請求項２記載の光学エンジン及び該光学エンジンを具有するイメージプロジェクタである。
請求項６の発明は、前記光学エンジンには、更に基板と上蓋とを含み、前記ＤＭＤを設置する個所を提供する第一空間を具有する右蓋、及び下蓋を具有し、更に該下蓋にはＶ型下溝と、該右蓋に隣接するプリズム下遮板と、該プリズム下遮断板と該Ｖ型下溝の間に形成される下溝とを具有する該基板と、前記基板の下蓋上に連結され、更にＶ型上溝、プリズム上遮板、上溝を具有し、これらの位置と形状は、順にＶ型下溝、プリズム下遮板、下溝に対応しており、該下蓋に合わせると下蓋の間には収容空間が形成される該上蓋とを含み、前記プリズムモジュールは、該プリズム上遮板とプリズム下遮板との間に収容され、該集光レンズは該上溝と下溝の間に収容され、前記凹面鏡は該Ｖ型上溝とＶ型下溝の折れ曲がった個所に設置され、且つ、該Ｖ型上溝と該Ｖ型下溝の一端には前記錐形部と固定ホルダが収容され、また、前記投影レンズ部は前記プリズム上遮板とプリズム下遮板の片側に位置し、且つ、ラバーキャップとリングを含み、該ラバーキャップは該レンズ部外部に設けられ、且つ、ラバーキャップの外囲輪郭はちょうど該プリズム上遮板とプリズム下遮板の間の空間を埋めて光線による干渉を受けるのを防止し、前記リングは該レンズ部を該右蓋の延伸架上にて固定することを特徴とする請求項５記載の光学エンジン及び該光学エンジンを具有するイメージプロジェクタである。
【０００７】
請求項７の発明は、光学モジュール、集光レンズ、逆全内部反射（ＲＴＩＲ）プリズムモジュールとより構成される光学エンジンにおいて、一定の方向に向かって進む光線を提供する前記光学モジュールと、該光線に対し集光作用を有する前記集光レンズと、該集光レンズの光線を受けて屈折させる前記逆全内部反射プリズムモジュールとを具有し、該プリズムモジュールには更に該集光レンズに隣接する第一プリズムと、該集光レンズより遠い側に位置する第二プリズムとを具有し、該第一プリズムは楔形（ウエッジ）プリズムであり光線の進む方向に沿った断面が錐形を呈し、該第二プリズムは光線の進む方向に沿った断面が直角三角形を呈し、且つ該第一プリズムが該第二プリズムの断面である直角三角形の一長辺の所属する表面上に貼設され、該第一プリズムと第二プリズムの相対位置を回転させることにより、光線の屈折する角度と方向とを微調整することを特徴とする光学エンジン及び該光学エンジンを具有するイメージプロジェクタである。
請求項８の発明は、前記光源モジュールには更に光源と錐形部と光反射手段とから構成され、ある一定の光軸方向に向かって光線を発射する該光源と、一端が該光源に隣接し、該光軸方向に向かって延伸する複数の錐形部側面を具有し、該光軸と垂直を為す断面が多辺形の輪郭を呈し、前記側面には、それぞれ、およそ光軸方向に向かって延伸する二つの相対した長辺、並びにおよそ該光軸と垂直を呈する二つの短辺を具有し、且つ、該側面における該光源に近い側の短辺の長さは該光源より遠い側の短辺より短く、断面が該光源を遠のく方向に向かって徐々に大きくなる錐形部と、前記錐形部の各側面に実施されるものであって、前記光源の発射する光源が各錐形部側面の反射を受けて該光軸方向に沿って前進するよう導引する該光反射手段とを含むことを特徴とする請求項７記載の光学エンジン及び該光学エンジンを具有するイメージプロジェクタである。
【０００８】
請求項９の発明は、光源と錐形部と集光部とプリズムモジュールとＤＭＤと投影レンズ部より構成される光学エンジンであって、ある一定の光軸方向に向かって光線を発射する該光源と、一端が該光源に隣接して該光軸方向に沿って延伸するものであり、且つ該光軸方向と垂直を呈する個所の断面は該光源を遠ざかる方向に沿って徐々に大きくなり、且つ光源の発射する光線を導引して該光軸方向に前進するようにする該錐形部と、該錐形部の光線を受けて集光を行う一つ以上設けられる集光部と、該集光部の光線を受けて屈折させる前記プリズムモジュールと、該プリズムモジュールの光線を受けて該プリズムモジュールに向かって反射させる前記ＤＭＤと、該ＤＭＤにより反射され、該プリズムモジュールより来る光線を受け、フォーカスして外設の投影面にイメージを提供する前記投影レンズ部とを具有することを特徴とする光学エンジン及び該光学エンジンを具有するイメージプロジェクタである。
請求項１０の発明は、前記集光部には凹面鏡と集光レンズから構成され、前記錐形部の最大断面積を具有する側の位置に設けられ、該錐形部により導引される光線に対し、ある一定の方向に屈折及び集光を行う前記凹面鏡と、該凹面鏡からの光線を受けて集光を行う該集光レンズとを含み、前記プリズムモジュールは逆全内部反射（ＲＴＩＲ）プリズムモジュールであり、前記集光レンズに隣接する第一プリズム及び前記ＤＭＤに隣接する第二プリズムを含み、該第一プリズムは楔形（ウエッジ）プリズムであり、該光線の進む方向に沿った断面は錐形を呈し、また、前記第二プリズムは該光線の進む方向に沿った断面が直角三角形を呈しており、且つ、該第一プリズムは該第二プリズムの断面である直角三角形の一長辺の属する表面上に貼設され、前記ＤＭＤ及び投影レンズ部がそれぞれ前記第二プリズムの断面である直角三角形の両垂直辺の所属する二表面に隣接することを特徴とする請求項９記載の光学エンジン及び該光学エンジンを具有するイメージプロジェクタである。
【０００９】
請求項１１の発明は、光学エンジン、回路板モジュール、ヒートシンクモジュール、ヒューマンインターフェイスモジュール、外殻とより構成されるイメージプロジェクタにおいて、光学イメージを発生させる該光学エンジンと、該光学エンジンに連結され、該光学エンジンの作動を制御するための該回路板モジュールと、該光学エンジンと回路板モジュールに対し放熱を行う該ヒートシンクモジュールと、該回路板モジュールに連結され、前記イメージプロジェクタを操作するための前記ヒューマンインターフェイスモジュールと、前記光学エンジンと回路板モジュール、並びにヒートシンクモジュールとヒューマンインターフェイスモジュールを収容並びに定位する該外殻とを具有し、前記光学エンジンには更にある一定の光軸方向に光線を発射するための光源、並びに該光源に隣接する錐形部、及び光反射手段を具有するが、該錐形部には該光軸方向に延伸する複数の錐形部側面を具有し、該錐形部の該光軸との垂直断面が多辺形の輪郭を呈し、該錐形部側面はそれぞれおよそ該光軸方向に沿って延伸する二つの相対する長辺、並びに、およそ前記光軸と垂直を呈する二つの相対する短辺を具有し、且つ、錐形部側面における光源に近い側の短辺の長さは光源より遠い側の短辺の長さより短く、錐形部の断面は該光源より遠のく方向に沿って、徐々に大きくなり、また、光反射手段は該錐形部の各側面で実施されるものであって、該光源の発射する光線が各錐形部側面の反射を受け、光軸が前進する方向に沿って前進するよう導引されることを特徴とする光学エンジン及び該光学エンジンを具有するイメージプロジェクタ。
【００１０】
請求項１２の発明は、光学エンジン、回路板モジュール、ヒートシンクモジュール、ヒューマンインターフェイスモジュール、外殻とより構成されるイメージプロジェクタにおいて、光学イメージを発生させるための前記光学エンジンと、該光学エンジンに連結されて該光学エンジンの作動を制御する前記回路板モジュールと、該光学エンジンと回路板モジュールに対し、放熱を行う前記ヒートシンクモジュールと、該回路板モジュールに連結され、前記イメージプロジェクタを操作するための前記ヒューマンインターフェイスモジュールと、前記光学エンジン、回路板モジュール、ヒートシンクモジュール、ヒューマンインターフェイスモジュール、を収容して定位する該外殻とを具有し、前記光学エンジンには更にある一定方向に進む光線を発生させる光学モジュールと、該光線を集光する機能を提供する集光レンズと、該集光レンズからの光線を受けて屈折させる逆全内部反射（ＲＴＩＲ）プリズムモジュールとを含み、且つ、該プリズムモジュールには更に該集光レンズに隣接する第一プリズムと、該集光レンズより離れた第二プリズムとを具有し、該第一プリズムは楔形（ウエッジ）プリズムであり、光線の進む方向に沿った断面は錐形を呈し、該第二プリズムは該光線の進む方向に沿った断面が直角三角形を呈し、且つ該第一プリズムは該第二プリズムの断面である直角三角形の一長辺の属する表面上に貼設され、該第一プリズムと第二プリズムの相対位置を回転することによって、光線の角度と方向とを微調整することを特徴とする光学エンジン及び該光学エンジンを具有するイメージプロジェクタである。
【００１１】
請求項１３の発明は、光学エンジンと、回路板モジュールと、ヒートシンクモジュールと、ヒューマンインターフェイスモジュールと、外殻とより構成されるイメージプロジェクタにおいて、光学イメージを発生させるための前記光学エンジンと、該光学エンジンに連結されて該光学エンジンの作動を制御する回路板モジュールと、該光学エンジンと該回路板モジュールに対し放熱を行う前記ヒートシンクモジュールと、該回路板モジュールに連結され、前記イメージプロジェクタを操作するための該ヒューマンインターフェイスモジュールと、前記光学エンジン、回路板モジュール、ヒートシンクモジュール、ヒューマンインターフェイスモジュールを収容して定位する該外殻とを具有し、前記光学エンジンには更に、ある一定の光軸方向に光線を発射するための光源と、一端が前記光源に隣接して前記光軸方向に延伸し、且つ、該光軸方向との垂直断面は該光源を遠ざかる方向に向かって徐々に大きくなり、且つ光源の発射する光線を導引して該光軸方向に向かって前進させる錐形部と、該錐形部より来る光線に対し、集光を行う集光部と、該集光部より来る光線に対し、屈折をかけるプリズムモジュール、該プリズムモジュールの光線を受けて、該プリズムモジュールに反射し返すＤＭＤと、該ＤＭＤの反射を受けた後、該プリズムモジュールから来る光線を受け、フォーカスして外接の投影面にイメージを提供する投影レンズ部とを具有することを特徴とする光学エンジン及び該光学エンジンを具有するイメージプロジェクタである。
【発明の効果】
【００１２】
本発明によると、光源の発する光が安定しており、光源が効率よく用いられ、且つ使用するレンズとプリズムが少なく、イメージの品質が高いと同時に体積の小さい光学エンジン並びに該光学エンジンを具有するイメージプロジェクタを提供することに成功した。
【発明を実施するための最良の形態】
【００１３】
本発明の好適な光学エンジン及び該光学エンジンを具有するイメージプロジェクタの実施例を図面に沿って説明する。
図１に示すように、本発明の実施例の光学エンジン１０はイメージプロジェクタ１中に設けられるものであるが、このイメージプロジェクタ１には光学エンジン１０、回路板モジュール２０、ヒートシンクモジュール３０、ヒューマンインターフェイスモジュール４０、並びに外殻５０から構成される。
前記光学エンジン１０は、光学イメージを発生並びに投射するものであり、回路板モジュール２０は光学エンジン１０に連結され、光学エンジン１０の作動を制御する。回路板モジュール２０中には外装する装置（コンピュータや光ディスク装置、あるいはその他の映像再生装置、メモリカード等を含む。図中無し）と連結するべく数個のインターフェイス２１が設けられる。ヒートシンクモジュール３０は、光学エンジン１０と回路板モジュール２０に対し、放熱を行なうものであり、少なくとも、一つの放熱送風口３２を具有する。ヒューマンインターフェイスモジュール４０においては、回路板モジュール２０に連結され、操作者がイメージプロジェクタ１を操作する機能を提供する。一般には、操作者が操作するヒューマンインターフェイスモジュール４０上には少なくとも複数のボタン４１やスイッチ等が設けられる。外殻(外枠)５０は、前記光学エンジン１０、回路板モジュール２０、ヒートシンクモジュール３０及びヒューマンインターフェイスモジュール４０を収容し、定位するものである。
【００１４】
図２から図４に示すように、本発明の光学エンジン１０の実施例では、光学モジュール１１、凹面鏡１２、集光レンズ１３、プリズムモジュール１４、ＤＭＤ(Digital Micromirror Device)１５、並びに複数のレンズ１６１、絞り１６２より構成されるレンズ部１６を含む。該光学モジュール１１の光源１１１が発射する光線は、該光学モジュール１１の錐形部１１２が該光線の散乱角度を縮小した後、該凹面鏡１２によって該光線をある一定の方向に屈折並びに集中させ、該集光レンズ１３によって集光された後、該プリズムモジュール１４が該光線を該ＤＭＤ１５の方向に屈折させる。該ＤＭＤ１５を経て反射してイメージとなった後、該プリズムモジュール１４で再び該光線を該投影レンズ部１６に向けて屈折させ、フォーカスした後にイメージとなって、外設すなわち外部に設けた投影面(スクリーン)９１に現れるようにする。
ここで、ＤＭＤとは、米国ＴＩ（Texas Instruments Incorporated）社が開発した表示素子であり、これを用いた投射型画像表示装置は、ＤＬＰ（Digital Light Processing TM）方式プロジェクタとして一般的に知られており、ＤＭＤは、微小可動ミラーを敷き詰めた半導体光スイッチから構成される。ＳＲＡＭ（Static Random Access Memory）の１セル毎の上に、オン・オフ状態で±10度の傾きを持つアルミ合金の微小ミラーを形成した構造となっており、直下に配置されたメモリ素子による静電界作用により、微小ミラーが動作するようになっている。
【００１５】
上述の各パーツを確実に定位(固定)するため、光学エンジン１０には独特な定位構造を設ける。図２，３に示すように、光学エンジン１０には、更に、基板１７と上蓋１８を設ける。本実施例中では基板１７及び上蓋１８はプラスティック材質が射出成型されたものが望ましい。
基板１７上には、更に右蓋１７１とした下蓋１７２を含み、右蓋１７１には第一空間１７３が形成され、該ＤＭＤ１５を設置する個所を提供する。該下蓋１７２にはV型下溝１７４、該右蓋１７１に隣接したプリズム下遮板１７５、該Ｖ型下溝１７４とプリズム下遮板１７５の間に位置する下溝１７６が設けられる。
前記上蓋１８は基板１７の下蓋１７２上に設置され、上蓋１８上には更にＶ型上溝１８１、プリズム上遮板１８２と上溝（図中無し）が設けられ、且つ、Ｖ型上溝１８１、プリズム上遮板１８２及び上溝の形状と位置は、それぞれ、Ｖ型下溝１７４、プリズム下遮板１７５及び下溝１７６に対応する。
上蓋１８を該下蓋１７２に設置するとき、該上下両蓋１８，１７２間に収容空間が形成され、光学エンジン１０を組み立てる際、前記プリズムモジュール１４はプリズム上遮板１８２とプリズム下遮板１７５との間に設置され、集光レンズ１３は上溝と下溝１７６の間に収容され、前記凹面鏡１２はＶ型上溝１８１とＶ型下溝１７４の折れ曲がった位置に収容される。また、Ｖ型上溝１８１とＶ型下溝１７４の末端には前記錐形部１１２、固定ホルダ１１５及びクリップ１１６が収容される。
このほか、前記プリズムモジュール１４の下側表面にはプリズム設置板１４３、バネ１４４が設けられ、該プリズムモジュール１４の相対位置の微調整を行う。こうして主に該基板１７と該上蓋１８の構造により、組み立ての際は必要な角度や距離、相対位置が正確且つ容易に得られるようにする。
【００１６】
図３に示すように、前記ＤＭＤ１５には更にＤＭＤチップ１５１、該ＤＭＤチップ１５１を挿入する個所であるＤＭＤ挿入部１５２、及び、ＤＭＤ挿入部１５２に連結されるＤＭＤ回路板１５３、該ＤＭＤ回路板１５３に連結されるＤＭＤ電源接続部１５４が設けられる。該ＤＭＤ１５が該基板１７の右蓋１７１に組み立てられると、該ＤＭＤチップ１５１はちょうど該第一空間１７３中央のウィンドウ位置より露出し、該プリズムモジュール１４の光線を受ける。該投影レンズ部１６は該プリズム上遮板１８２とプリズム下遮板１７５の間の開口側に位置し、且つラバーキャップ１６３とリング１６４を具有する。該ラバーキャップ１６３は該レンズ部１６外部に被せられ、且つ該ラバーキャップ１６３の外囲の輪郭はちょうど該プリズム上遮板１８２と該プリズム下遮板１７５の間の空間を埋めて光の干渉を受けるのを防ぐ。該リング１６４においては、該レンズ部１６を該右蓋１７１の延伸架１７７上に設けられて定位するものとする。
【００１７】
図５から７及び図２から４に示すように、前記プリズムモジュール１４は、全反射、すなわち、逆全内部反射（Reversed Total Internal Reflection；RTIR）とし、更に、第一プリズム１４１と第二プリズム１４２とから構成され、第一プリズム１４１は集光レンズ１３に隣接する位置に設けられ、第二プリズム１４２はＤＭＤ１５に隣接する個所に設けられる。第一プリズム１４１と第二プリズム１４２はいずれもある一定の光屈折係数を具有する透明材質によるもので構成される。
引き続き図５に示すように、前記第一プリズム１４１は楔形（ウエッジ）プリズムであり、光線の進む方向に沿った断面は錐形（図４を参照）を呈している。該楔形の第一プリズム１４１の六つの表面１４１１〜１４１６は全て平面を呈し、且つ、各表面１４１１〜１４１６の間の関係は平行ではなく、且つ、傾斜を呈して連なる楔型の構造を呈する。
表平面１４１３は光線の入射面、もう一つの表平面１４１６は光線の出射面である。また、第一プリズム１４１の四つの表平面１４１１，１４１２，１４１３，１４１６の交わる位置は、最も薄い個所となっており（即ち、表平面１４１３と１４１６は該位置における距離が最も近い）、該四つの表平面１４１３，１４１４，１４１５，１４１６の交わる位置には最大の厚さを具有する（即ち、表平面１４１３，１４１６は該位置における距離が最も遠い）。
【００１８】
図６に示すように、該第二プリズム１４２は光線の進む方向に沿った断面が三角形を呈し、且つ、五つの表平面１４２１〜１４２５を具有する。該表平面１４２４と１４２５は直角三角形を呈し、且つ、相互に平行を為しており、該表平面１４２１は該二つの三角形の表平面１４２４と１４２５の長辺の間に位置し、且つ光線の入射面となる。表平面１４２２と１４２３は、それぞれ該表平面１４２４と１４２５の両垂直辺の間に位置し、且つ表平面１４２２と１４２３は相互に垂直を為す。該第一プリズム１４１の表平面１４１６は該第二プリズム１４２の表平面１４２１（即ち、断面の直角三角形の一長辺の属する表面）上に貼設される。前記ＤＭＤ１５及び投影レンズ部１６はそれぞれ該第二プリズム１４２の表平面１４２３と１４２２（即ち、断面の直角三角形の両垂直辺の属する二つの表面）に位置する。
【００１９】
図７に示すように、前記プリズム設置板１４３には直角三角形の平面１４３１を具有し、第二プリズム１４２の表平面１４２５を受ける個所となっている。該プリズム設置板１４３と第二プリズム１４２との間は接着剤等により接合される。該プリズム設置板１４３の平面１４３１周縁には数個のストッパー１４３２を設け、該第二プリズム１４２がスライドするのを防止する。該プリズム設置板１４３下方にはスタッド１４３３を設け、ボルト（図中無し）で該基板１７のプリズム下遮板１７５に螺設固定する個所を提供する。ボルトを回転させることにより、該第一プリズム１４１と第二プリズム１４２の間の相対位置と角度を変え、これにより光線の進む方向と角度に対し微調整を行う。
【００２０】
図８に示すように、前記光学エンジン１０の光学モジュール１１の第一実施例では、光学モジュールには光源１１１、錐形部１１２、光反射手段、回路板１１４、固定ホルダ１１５、クリップ１１６を含む。該光学モジュールには放熱部品１１７が連結され、放熱効果を提供するものとする。該光源１１１はある一定の方向の光軸方向に向けて発射される光線である。該光源１１１は発光ダイオードとし、該錐形部１１２の一端は該光源１１１に隣接するものとする。
該錐形部１１２には該光軸方向に沿って延伸する複数の錐形部側面１１２１を具有し、該錐形部１１２と該光軸との垂直断面は多辺形の輪郭を形成する。ここでは該錐形部１１２と光軸の垂直断面は正方形を呈する。該錐形部側面１１２１はそれぞれ該光軸方向に沿って延伸する二つの相対する長辺１１２２，１１２３、並びに、該光軸とおよそ垂直を呈する二つの相対する短辺１１２４，１１２５を具有する。各錐形部側面１１２１の光源１１１に近い側の短辺１１２５の長さは、光源１１１より遠い側の短辺１１２４より短く、錐形部１１２の断面は光源１１１を遠のく方向に向かって徐々に大きくなる。前記凹面鏡１２は錐形部１１２の最大面積を具有する側に設置される。
【００２１】
光反射手段は、前記錐形部１１２の各錐形部側面１１２１で行われるが、光源が発射する光が側面１１２１の反射を受け、光軸方向に前進すべく導引(誘導)するものである。
図８に示すように、錐形部１１２は中空を呈した錐形の構造を具有し、且つ、ガラスやプラスティック、水晶や石英などの透明の材質によりなるものであるが、これに限られるものではない。また、光反射手段は、各錐形部側面１１２１の内側面にて光反射材料１１３として形成され（銀など）、光線が錐形部１１２内にて全反射し、且つ、錐形部１１２の断面積が小さい側より大きい側に向かって進み、こうして、錐形部１１２は光線をおよそ光軸方向に沿って進行させる機能を提供する。
前記回路板１１４は、光源（発光ダイオード）１１１を設置する個所、並びに該光源１１１を駆動する数個の電子パーツ（図中符号無し）、及び、コネクタ１１４２が設けられ、固定ホルダ１１５は回路板１１４に連結される。該固定ホルダ１１５上には略正方形を呈したやや大きな中空槽１１５１が設けられ、錐形部１１２の断面積が小さい側が設置され、光源１１１の一つはちょうど錐形部１１２の該断面積の小さい側に位置する。
更に、固定ホルダ１１５には二つの脚部１１５２，１１５３があり、この二つの脚部１１５２，１１５３の間のサイズは回路板１１４のサイズに対応したものであり、該回路板１１４が該スライドレール１１５４に入り込み、該固定ホルダ１１５と連結されるようにする。
【００２２】
前記クリップ１１６は、錐形部１１２を挟設し、固定ホルダ１１５に定位する。該クリップ１１６には、更に、数個の爪１１６１、一つの爪１１６１上に設けられる一つ以上の定位部１１６２、並びに、各爪１１６１間に位置する孔１１６３を具有する。該孔１１６３のサイズは錐形部１１２の最大面積よりも大きいものとし、クリップ１１６の孔１１６３が錐形部１１２に嵌合され、爪１１６１により固定ホルダ１１５の縁を挟設し、該錐形部１１２が固定ホルダ１１５上にて固定される目的を達成する。
錐形部１１２の少なくとも一つの錐形側面部１１２１には、更に、突起部１１２６が設けられ、クリップ１１６の孔１１６３が錐形部１１２に嵌合されるとき、前記突起部１１２６がちょうど該クリップ１１６と該固定ホルダ１１５に当たり、位置がずれるのを防止する。
【００２３】
前記放熱部品１１７は、放熱接触面１１７１、及び、該放熱接触面１１７１より延伸する数個の放熱フィン１１７２を具有し、放熱接触面１１７１上には更に有る一定の形状を呈した突起面１１７３を具有する。固定ホルダ１１５１、及び、回路板１１４は放熱接触面１１７１上にて連結され、且つ、突起面１１７３の位置はちょうど両該足部１１５２、１１５３の間に形成される隙間に位置し、該回路板１１４の該光源１１１を設置する位置が直接該放熱接触面１１７１上の突起面１１７３と接触するようになる。
【００２４】
図９に示すように、錐形部１１２が光を反射するときの光のルートであるが、錐形部１１２はその独特な構造により該光の散乱する角度を縮小する機能も提供する。光線は断面の小さな側ではθ1の角度で該錐形部１１２に進入し、該錐形部１１２はθ3の角度で該光の進む方向に向かって徐々に太くなり（即ち断面積が大きくなる）、よって光線は断面積の大きな側ではθ2の角度で射出され、該θ2の値はθ1の値より小さくなる。こうして光の散乱する角度が縮小されることににより、光源が集中並びにむらなく分布し、光源を効率よく利用する目的を達成する。
【００２５】
以下では、本発明の第二実施例について述べるが、構造は上述とほとんど等しい、或いは類似する。図１０に示すように、本実施例における光学モジュール１１aは、ほとんど図８に示すような光学モジュール１１と等しく、同様に光源１１１と錐形部１１２a、光反射手段、回路板１１４、固定ホルダ１１５a、クリップ１１６を具有する。該光学モジュール１１aは同様に放熱部品１１７を具有し、放熱効果を促進する。該光学モジュール１１aにおいて上述の第一実施例と異なる点は、中空を呈した定位カバー１１８が設けられることであり、且つ該錐形部１１２aには最大面積を具有する側に突起縁１１２７が設けられることであり、該突起縁１１２７は該中空を呈した定位カバー１１８の上端内側の湾曲縁１１８１にて定位され、該カバー１１８のもう一端は連結部１１８２によって該回路板１１４及び固定ホルダ１１５a上に連結される。また該錐形部１１２aは空洞ではなく中身の詰まった構造を呈しており、且つ該反射手段は該錐形部１１２aの外側における各側面１１２１a上にて反射材料層１１３aを形成している。また該錐形部１１２aの突起縁１１２７は該錐形部１１２a本体と一体成型されるものとする。
【００２６】
図１１に示すように、該光学モジュール１１bにおける第三実施例であるが、該光学モジュール１１bは図１０に示すような光学モジュール１１aと構造がほとんど類似しており、同様にして光源１１１、錐形部１１２b、光反射手段、回路板１１４、固定ホルダ１１５b、クリップ１１６、定位カバー１１８bを含む。では上述の他の実施例と異なる点においては、該錐形部１１２bの突起縁１１２７bの構造は独立したものであり、且つガラスやアクリルなどの透明材質によるチップ上を呈したものであり、且つサイズは該錐形部１１２bの最大面積よりやや大きく、また該突起縁１１２７bは該錐形部１１２b上に粘着されることで固定される。
【図面の簡単な説明】
【００２７】
【図１】本発明の光学エンジンをイメージプロジェクタ中に設置した状態を示す透視図である。
【図２】本発明の光学エンジンの第一実施例を示す透視図である。
【図３】図２における光学エンジンのもう一つの角度からの立体透視図である。
【図４】図２に示す光学エンジンの光のルートを示す図である。
【図５】本発明におけるプリズムモジュールの第一プリズムの実施例を示す立体図である。
【図６】本発明におけるプリズムモジュールの第二プリズムの実施例を示す立体図である。
【図７】本発明のプリズムモジュールのプリズム設置板の実施例を示す立体図である。
【図８】図２に示す光学エンジンの光学モジュールにおける第一実施例を示す立体分解図である。
【図９】本発明の光学エンジン中における錐形部が光を反射するときに生じる光のルートの実施例を示す図である。
【図１０】本発明の光学エンジンにおける光学モジュールの第二実施例を示す立体分解図である。
【図１１】本発明の光学エンジンの光学モジュールにおける第三実施例を示す立体分解図である。
【図１２】図１１に示す光学モジュールの第三実施例であり、放熱部品を連結させる様子を示す立体図である。
【図１３】図１２に示す光学モジュールの第三実施例であり、基板と凹面鏡、並びに集光レンズ、プリズムモジュールと相互に組み合わせられる様子を示す立体図である。
【符号の説明】
【００２８】
１  イメージプロジェクタ
１０  光学エンジン
１１、１１ａ、１１ｂ  光学モジュール
１１１  光源
１１２、１１２ａ、１１２ｂ  錐形部  
１１２１、１１２１ａ  錐形部側面
１１２２、１１２３  長辺
１１２４、１１２５  短辺
１１２６  突起部
１１２７、１１２７ｂ  突起縁
１１３、１１３ａ  光反射材料
１１４  回路板
１１４２  コネクタ
１１５、１１５ａ、１１５ｂ  固定ホルダ
１１５１  中空槽
１１５２、１１５３  脚部
１１５４  スライドレール      
１１６  クリップ
１１６１  爪
１１６２  定位部
１１６３  孔
１１７  放熱部品
１１７１  放熱接触面
１１７２  放熱フィン
１１７３  突起面
１１８、１１８ｂ  定位カバー
１１８１  湾曲縁
１１８２  連結部
１２  凹面鏡
１３  集光レンズ
１４  プリズムモジュール
１４１  第一プリズム   
１４１１  １４１６  表平面
１４２  第二プリズム
１４２１  １４２５  表平面
１４３  プリズム設置板
１４３１  平面
１４３２  ストッパー
１４３３  スタッド
１４４  バネ
１５  ＤＭＤ
１５１  ＤＭＤチップ
１５２  ＤＭＤ挿入部
１５３  ＤＭＤ回路板
１５４  ＤＭＤ電源接続部
１６  投影レンズ部
１６１  レンズ
１６２  絞り
１６３  ラバーキャップ
１６４  リング
１７  基板
１７１  右蓋
１７２  下蓋
１７３  第一空間
１７４  Ｖ型下溝
１７５  プリズム下遮板
１７６  下溝
１７７  延伸架
１８  上蓋
１８１  Ｖ型上溝
１８２  プリズム上遮板
２０  回路板モジュール
２１  連結インターフェイス    
３０  ヒートシンクモジュール
３１  放熱ファン
３２  放熱送風口
４０  ヒューマンインターフェイスモジュール
４１  ボタン
５０  外殻
９１  外接の投影面
【図１】
2006106683.tif 000003
【図２】
2006106683.tif 000004
【図３】
2006106683.tif 000005
【図４】
2006106683.tif 000006
【図５】
2006106683.tif 000007
【図６】
2006106683.tif 000008
【図７】
2006106683.tif 000009
【図８】
2006106683.tif 000010
【図９】
2006106683.tif 000011
【図１０】
2006106683.tif 000012
【図１１】
2006106683.tif 000013
【図１２】
2006106683.tif 000014
【図１３】
2006106683.tif 000015